(57)【特許請求の範囲】
【請求項１】
貨車（２）の荷台（２ａ）に載置される重量物（４）を駅構内のホーム（６）に運搬する重量物運搬治具（１）であって、
前記貨車（２）の前記荷台（２ａ）上に設けられ、レール走行方向がホーム（６）に向かっている移動レール（３）と、前記重量物（４）の底面側に配され、この移動レール（３）上を走行可能な移動ローラ（５）と、一端が前記移動レール（３）に連結可能であり、他端側がホーム（６）に達している延長レール（７）と、前記移動ローラ（５）が前記移動レール（３）上より離間する位置に前記重量物（４）を持ち上げ、この状態で重量物（４）を固定できるジャッキアップ手段（８）と、を備えたことを特徴とする重量物運搬治具。
【請求項２】
請求項１に記載された重量物運搬治具（１）であって、
前記移動レール（３）の高さを調整するレール高さ調整手段（１０）を有することを特徴とする重量物運搬治具。
【発明の詳細な説明】
【０００１】
【発明の属する技術分野】
本発明は、昇降機の架設重量物等を貨車（台車を含む）から駅構内のホーム上に運搬する重量物運搬治具に関する。
【０００２】
【従来の技術】
昇降機の架設重量物などの重量物は貨車を利用して目的地の近くまで搬送される場合があり、目的地の近くの駅構内のホームに貨車が到着すると、貨車より重量物をホーム上に運搬する必要がある。従来では、図３に示すように、貨車５０上のユニット化された重量物５１を玉掛けワイヤ５２を介してクレーン５３で吊り上げ、吊り上げた重量物５１をホームまで空中移動させることによって行っていた。尚、図３において、５４は鉄道レールである。
【０００３】
【発明が解決しようとする課題】
しかしながら、上記した従来の運搬手段では、重量物５１を空中移動させるため、安全性の点で慎重を期す必要があり、作業性が悪いという問題があった。特に、貨車の停車時間が決められている場合には、短時間の間で作業を完了しなければならず、短時間で安全に作業を行うことが困難な場合も発生する。
【０００４】
又、ホーム上に架線５５があると、クレーン５３の作業に制限を受け、クレーン５３を用いた運搬ができない場合が発生するという問題があった。
【０００５】
そこで、本発明は、前記した課題を解決すべくなされたものであり、安全性、作業性が向上すると共に、吊り上げ代が少ない場所であっても容易に運搬できる重量物運搬治具を提供することを目的とする。
【０００６】
【課題を解決するための手段】
請求項１の発明は、貨車の荷台に載置される重量物を駅構内のホームに運搬する重量物運搬治具であって、前記貨車の前記荷台上に配され、レール走行方向がホームに向かっている移動レールと、前記重量物の底面側に設けられ、この移動レール上を走行可能な移動ローラと、一端が前記移動レールに連結可能であり、他端側がホームに達している延長レールと、前記移動ローラが前記移動レール上より離間する位置に前記重量物を持ち上げ、この状態で重量物を固定できるジャッキアップ手段と、を備えたことを特徴とする。
【０００７】
この重量物運搬治具では、貨車が駅構内のホームに到着すると、移動レールと延長レールを連結し、移動ローラを移動レール及び延長レールに沿って走行させることにより貨車上の重量物をホームに運搬できる。さらに、貨車での移動中にあっては、ジャッキアップ手段により重量物を移動レール上に持ち上げた状態としておくことができるため、貨車移動中に移動レール及び移動ローラに重量がかからず、貨車移動中の負荷によるダメージを防止できる。
【００１０】
請求項２の発明は、請求項１に記載された重量物運搬治具であって、前記移動レールの高さを調整するレール高さ調整手段を有することを特徴とする。
【００１１】
この重量物運搬治具では、請求項１に記載された発明の作用に加え、延長レールの高さに移動レールを合わせることができるため、ホーム高さに拘わらず重量物の運搬ができる。
【００１２】
【発明の実施の形態】
以下、本発明の一実施形態を図面に基づいて説明する。
【００１３】
図１及び図２は本発明の一実施形態を示し、図１は重量物運搬治具１を用いた貨車２上の重量物４等を示す正面図、図２は重量物運搬治具１を用いた貨車２上の重量物４等を示す側面図である。
【００１４】
図１及び図２に示すように、重量物運搬治具１は、貨車２の荷台２ａ上に設けられた一対の移動レール３と、ユニット化された重量物４の底面側に設けられ、一対の移動レール３上を走行可能な一対の移動ローラ５と、一端が一対の移動レール３に連結可能であり、他端側がホーム６に達している一対の延長レール７と、一対の移動ローラ５が移動レール３上より離間する位置に重量物４を持ち上げ、この状態で重量物４を固定できる一対のジャッキアップ手段８とを備えている。
【００１５】
一対の移動レール３は、そのレール走行方向が鉄道レール９に略直交し、ホーム６に向かって配置されている。一対の移動レール３には、レール高さ調整手段１０が設けられており、レール高さ調整手段１０によってその高さ位置を可変できるようになっている。一対の移動レール３と一対の延長レール７との間は、レール連結具１１によって容易に連結でき、又は、レール連結具１１を外すことによって容易に連結解除できるようになっている。又、移動レール３及び移動ローラ５は、容易に増設が行えるようになっている。
【００１６】
上記構成において、貨車２の移動中にあっては、一対のジャッキアップ手段８により重量物４を移動レール３上に持ち上げた状態として貨車２の荷台２ａに重量物４を載置する。貨車２が駅構内のホーム６に到着すると、一対のジャッキアップ手段８により持ち上げていた重量物４を降ろし、重量物４の下方の移動ローラ５を移動レール３に載せ、一対のジャッキアップ手段８を重量物４の下方より取り外す。又、移動レール３と延長レール７とをレール連結具１１を介して連結する。ここで、移動レール３の高さが延長レール７の高さと異なる場合には、レール高さ調整手段１０により移動レール３の高さを延長レール７の高さに合わせた後に双方のレール３，７を連結する。次に、移動ローラ５を移動レール３及び延長レール７に沿って走行させることにより貨車２上の重量物４をホーム６に運搬する。尚、ホーム６から貨車２への重量物４の運搬は、上記と逆の手順で行うことができる。
【００１７】
以上より、重量物４の運搬を移動レール３及び延長レール７に沿って地上移動させることによって行うことができるため、安全性、作業性が向上すると共に、吊り上げ代が少ない場所であっても容易に運搬できる。
【００１８】
この実施形態の重量物運搬治具１は、移動ローラ５が移動レール３上より離間する位置に重量物４を持ち上げ、この状態で重量物４を固定できるジャッキアップ手段８を有するので、貨車２での移動中にあっては、ジャッキアップ手段８により重量物４を移動レール３上に持ち上げた状態としておくことができるため、貨車移動中に移動レール３及び移動ローラ５に重量がかからず、貨車移動中の負荷によるダメージを防止できる。
【００１９】
この実施形態の重量物運搬治具１は、移動レール３の高さを調整するレール高さ調整手段１０を有するので、延長レール７の高さに移動レール３を合わせることができるため、ホーム高さに拘わらず重量物４の運搬ができる。又、ジャッキアップ手段８で重量物４を移動レール３上の離間位置に持ち上げた状態でレール高さ調整を行うことができるので、移動レール３の高さ調整時には重量物４の重量を受けず、レール高さ調整が容易にできるという利点もある。
【００２０】
この実施形態では、移動レール３及び移動ローラ５は、容易に増設が行えるようになっているので、重量物４の重量が大きい場合に容易に対応できる。
【００２１】
尚、重量物４は、昇降機の架設重量物であっても、それ以外の重量物であっても良く、重量物４の種類は問わない。また、上記した実施形態では、移動ローラ５を、重量物４の下面に直接取り付けているが、パレット状の板体に取り付け、この板体の上に重量物４を載置する構成としてもよい。
【００２２】
【発明の効果】
以上説明したように、本発明によれば、貨車の荷台に載置される重量物を駅構内のホームに運搬する重量物運搬治具であって、貨車の荷台上に設けられ、レール走行方向がホームに向かっている移動レールと、重量物の底面側に設けられ、この移動レール上を走行可能な移動ローラと、一端が移動レールに連結可能であり、他端側がホームに達している延長レールとを備えたので、貨車が駅構内のホームに到着すると、移動レールと延長レールを連結し、移動ローラを移動レール及び延長レールに沿って走行させることにより貨車上の重量物をホームに運搬できるため、安全性、作業性が向上すると共に、吊り上げ代が少ない場所であっても容易に運搬でき、さらに、前記移動ローラが前記移動レール上より離間する位置に前記重量物を持ち上げ、この状態で重量物を固定できるジャッキアップ手段を備えたことにより、貨車での移動中にあっては、ジャッキアップ手段により重量物を移動レール上に持ち上げた状態としておくことができるため、貨車移動中に移動レール及び移動ローラに重量がかからず、貨車移動中の負荷によるダメージを防止できる。
【図面の簡単な説明】
【図１】本発明の一実施形態を示し、重量物運搬治具を用いた貨車上の重量物等を示す正面図である。
【図２】本発明の一実施形態を示し、重量物運搬治具を用いた貨車上の重量物等を示す側面図である。
【図３】従来の重量物の運搬の仕方を示す正面図である。
【符号の説明】
１  重量物運搬治具
２  貨車
２ａ  荷台
３  移動レール
４  重量物
５  移動ローラ
６  ホーム
７  延長レール
８  ジャッキアップ手段
１０  レール高さ調整手段
【図１】
0004215449.tif 000002
【図２】
0004215449.tif 000003
【図３】
0004215449.tif 000004